(57)【要約】【課題】複数台の印刷装置で分散して印刷を行った場合でも１台の印刷装置で印刷を行った場合と同様に課金を行うことができる課金システム、課金装置及び課金プログラムを提供する。【解決手段】識別情報が付されると共に複数で分散させて印刷された画像情報の識別情報及び印刷枚数を示す枚数情報を取得し、取得した識別情報及び枚数情報に基づいて同一の識別情報の印刷枚数を集計し、集計した印刷枚数に対して課金を行う。【選択図】図４
2010182112.tif 000002
【特許請求の範囲】
【請求項１】
識別情報が付された画像情報に基づいて各々印刷処理を行うと共に、分散印刷処理が必要な場合に各々画像情報に基づいて分散印刷処理を行う印刷手段を有する複数の印刷装置と、
前記複数の印刷装置で印刷された画像情報の識別情報及び印刷枚数を示す枚数情報を取得する取得手段と、
前記取得手段により取得された識別情報及び枚数情報に基づいて同一の識別情報の印刷枚数を集計する集計手段と、
前記集計手段により集計された印刷枚数に対して課金を行う課金手段と、
を備えた課金システム。
【請求項２】
分散印刷処理が必要な場合は、予め前記画像情報に分散させて印刷する分散印刷指示が付された場合、及び印刷処理または分散印刷処理を中止して他の印刷装置で印刷処理を行わせる場合である
請求項１記載の課金システム。
【請求項３】
前記取得手段、前記集計手段及び前記課金手段を少なくとも１つの前記印刷装置に設けた
請求項１又は請求項２記載の課金システム。
【請求項４】
前記取得手段、前記集計手段及び前記課金手段をサーバ・コンピュータに設けた
請求項１又は請求項２記載の課金システム。
【請求項５】
前記複数の印刷装置は、前記印刷手段による印刷が完了する毎に当該印刷を行った画像情報の識別情報及び枚数情報を送信する送信手段をさらに有し、
前記取得手段は、前記送信手段により送信された情報を受信することにより識別情報及び枚数情報を取得する
請求項１〜請求項４の何れか１項記載の課金システム。
【請求項６】
前記複数の印刷装置は、前記印刷手段により印刷を行った画像情報の識別情報及び印刷枚数を示す枚数情報を記憶する記憶手段、及び所定の期間又は所定の日時毎に前記記憶手段に記憶された未送信の識別情報及び枚数情報を送信する送信手段をさらに有し、
前記取得手段は、前記送信手段により送信された情報を受信することにより識別情報及び枚数情報を取得する
請求項１〜請求項４の何れか１項記載の課金システム。
【請求項７】
前記複数の印刷装置は、前記印刷手段により印刷を行った画像情報の識別情報及び印刷枚数を示す枚数情報を記憶する記憶手段、外部から識別情報及び枚数情報の送信要求を受け付ける受付手段、及び前記受付手段で送信要求を受け付けた場合に前記記憶手段に記憶された未送信の識別情報及び枚数情報を送信する送信手段をさらに有し、
前記取得手段は、前記送信手段により送信された情報を受信することにより識別情報及び枚数情報を取得する
請求項１〜請求項４の何れか１項記載の課金システム。
【請求項８】
識別情報が付されると共に複数で分散させて印刷された画像情報の識別情報及び印刷枚数を示す枚数情報を取得する取得手段と、
前記取得手段により取得された識別情報及び枚数情報に基づいて同一の識別情報の印刷枚数を集計する集計手段と、
前記集計手段により集計された印刷枚数に対して課金を行う課金手段と、
を備えた課金装置。
【請求項９】
コンピュータを、
識別情報が付されると共に複数で分散させて印刷された画像情報の識別情報及び印刷枚数を示す枚数情報を取得する取得手段と、
前記取得手段により取得された識別情報及び枚数情報に基づいて同一の識別情報の印刷枚数を集計する集計手段と、
前記集計手段により集計された印刷枚数に対して課金を行う課金手段と、
して機能させるための課金プログラム。
【発明の詳細な説明】
【技術分野】
【０００１】
この発明は、課金システム、課金装置及び課金プログラムに関する。
【背景技術】
【０００２】
従来、印刷装置の課金方式は、印刷枚数をカウントするいわゆるビリングカウンタと呼ばれるカウンタにより、印刷枚数を計数して、所定単位で課金を行うものが一般的である。
【０００３】
また、特許文献１には、一定単位数以上（例えば、１００枚数以上、１０部以上数等）のプリントジョブに対して、それ以降のプリントジョブに対して割り引きを行う、又は無料にするという課金方法が提案されている。
【先行技術文献】
【特許文献】
【０００４】
【特許文献１】特開２００１−３４１３８８号公報
【発明の概要】
【発明が解決しようとする課題】
【０００５】
本発明は、複数台の印刷装置で分散して印刷を行った場合でも１台の印刷装置で印刷を行った場合と同様に課金を行うことができる課金システム、課金装置及び課金プログラムを提供することを目的とする。
【課題を解決するための手段】
【０００６】
請求項１に記載の発明の課金システムは、識別情報が付された画像情報に基づいて各々印刷処理を行うと共に、分散印刷処理が必要な場合に各々画像情報に基づいて分散印刷処理を行う印刷手段を有する複数の印刷装置と、前記複数の印刷装置で印刷された画像情報の識別情報及び印刷枚数を示す枚数情報を取得する取得手段と、前記取得手段により取得された識別情報及び枚数情報に基づいて同一の識別情報の印刷枚数を集計する集計手段と、前記集計手段により集計された印刷枚数に対して課金を行う課金手段と、を備えている。
【０００７】
また、請求項２に記載の発明は、請求項１記載の発明において、分散印刷処理が必要な場合を、予め前記画像情報に分散させて印刷する分散印刷指示が付された場合、及び印刷処理または分散印刷処理を中止して他の印刷装置で印刷処理を行わせる場合としたものである。
【０００８】
また、請求項３に記載の発明は、請求項１又は２記載の発明において、前記取得手段、前記集計手段及び前記課金手段を少なくとも１つの前記印刷装置に設けたものである。
【０００９】
また、請求項４に記載の発明は、請求項１又は２記載の発明において、前記取得手段、前記集計手段及び前記課金手段をサーバ・コンピュータに設けたものである。
【００１０】
また、請求項５に記載の発明は、請求項１〜４の何れか１項記載の発明において、前記複数の印刷装置が、前記印刷手段による印刷が完了する毎に当該印刷を行った画像情報の識別情報及び枚数情報を送信する送信手段をさらに有し、前記取得手段が、前記送信手段により送信された情報を受信することにより識別情報及び枚数情報を取得するものである。
【００１１】
また、請求項６に記載の発明は、請求項１〜４の何れか１項記載の発明において、前記複数の印刷装置が、前記印刷手段により印刷を行った画像情報の識別情報及び印刷枚数を示す枚数情報を記憶する記憶手段、及び所定の期間又は所定の日時毎に前記記憶手段に記憶された未送信の識別情報及び枚数情報を送信する送信手段をさらに有し、前記取得手段が、前記送信手段により送信された情報を受信することにより識別情報及び枚数情報を取得するものである。
【００１２】
さらに、請求項７に記載の発明は、請求項１〜４の何れか１項記載の発明において、前記複数の印刷装置が、前記印刷手段により印刷を行った画像情報の識別情報及び印刷枚数を示す枚数情報を記憶する記憶手段、外部から識別情報及び枚数情報の送信要求を受け付ける受付手段、及び前記受付手段で送信要求を受け付けた場合に前記記憶手段に記憶された未送信の識別情報及び枚数情報を送信する送信手段をさらに有し、前記取得手段が、前記送信手段により送信された情報を受信することにより識別情報及び枚数情報を取得するものである。
【００１３】
一方、請求項８に記載の発明の課金装置は、識別情報が付されると共に複数で分散させて印刷された画像情報の識別情報及び印刷枚数を示す枚数情報を取得する取得手段と、前記取得手段により取得された識別情報及び枚数情報に基づいて同一の識別情報の印刷枚数を集計する集計手段と、前記集計手段により集計された印刷枚数に対して課金を行う課金手段と、を備えている。
【００１４】
一方、請求項９に記載の発明の課金プログラムは、コンピュータを、識別情報が付されると共に複数で分散させて印刷された画像情報の識別情報及び印刷枚数を示す枚数情報を取得する取得手段と、前記取得手段により取得された識別情報及び枚数情報に基づいて同一の識別情報の印刷枚数を集計する集計手段と、前記集計手段により集計された印刷枚数に対して課金を行う課金手段と、して機能させるものである。
【発明の効果】
【００１５】
請求項１、請求項８、及び請求項９に記載の発明によれば、複数台の印刷装置で分散して印刷を行った場合でも１台の印刷装置で印刷を行った場合と同様に課金を行うことができる。
【００１６】
また、請求項２に記載の発明によれば、予め前記画像情報に分散させて印刷する分散印刷指示が付された場合、及び印刷処理または分散印刷処理を中止して他の印刷装置で印刷処理を行わせる場合も分散させて印刷を行うことができる、という優れた効果を有する。
【００１７】
また、請求項３に記載の発明によれば、集計、課金を行う装置を別途設ける必要がないため、低コストでシステムを実現できる、という優れた効果を有する。
【００１８】
また、請求項４に記載の発明によれば、各印刷装置の電源がオフされた場合でも安定して集計、課金を行うことができる、という優れた効果を有する。
【００１９】
また、請求項５に記載の発明によれば、集計、課金を印刷完了後すぐに行うことができる、という優れた効果を有する。
【００２０】
また、請求項６に記載の発明によれば、所定の期間又は所定の日時を調整することにより、識別情報及び枚数情報の送信によるネットワーク等の負荷の負荷分散を行うことができる、という優れた効果を有する。
【００２１】
さらに、請求項７に記載の発明によれば、送信要求されたタイミングで識別情報及び枚数情報の送信することができる、という優れた効果を有する。
【図面の簡単な説明】
【００２２】
【図１】第１及び第２の実施の形態に係る課金システムの概略構成を示すブロック図である。
【図２】第１の実施の形態に係る複合機及びサーバ・コンピュータの構成を示すブロック図である。
【図３】第１、第３及び第４の実施の形態に係る印刷枚数情報送信制御処理プログラムの処理の流れを示すフローチャートである。
【図４】第１〜第４の実施の形態に係る課金制御処理プログラムの処理の流れを示すフローチャートである。
【図５】第１の実施の形態に係る課金集計テーブルを模式的に示した模式図である。
【図６】第２の実施の形態に係る印刷結果テーブルを模式的に示した模式図である。
【図７】第２の実施の形態に係る印刷枚数情報記憶処理プログラムの処理の流れを示すフローチャートである。
【図８】第２の実施の形態に係る送信要求送信処理プログラムの処理の流れを示すフローチャートである。
【図９】第３の実施の形態に係る印刷枚数情報送信制御処理プログラムの処理の流れを示すフローチャートである。
【図１０】第３及び第４の実施の形態に係る課金システムの概略構成を示すブロック図である。
【図１１】第３及び第４の実施の形態に係る印刷枚数情報記憶処理プログラムの処理の流れを示すフローチャートである。
【発明を実施するための形態】
【００２３】
以下、図面を参照して、本発明を実施するための形態について詳細に説明する。なお、以下では、本発明を印刷装置として、印刷（プリント）機能やファクシミリ機能、複写（コピー）機能を備えた複合機を適用した場合について説明する。
【００２４】
［第１の実施の形態］
図１には、本実施の形態に係る課金システム１０の全体的な概略構成が示されている。
【００２５】
同図に示されるように、課金システム１０では、複数（本実施の形態では２台）のパーソナルコンピュータ（以下「ＰＣ」という）１２と、複数（本実施の形態では３台）の複合機１４と、サーバ・コンピュータ１６が、ネットワーク１８を介して接続されている。
【００２６】
本実施の形態に係る課金システム１０では、各複合機１４はＰＣ１２から印刷が指示された画像情報を個別に印刷を行うことが可能であると共に、複数の複合機１４で分散させて印刷を行うことが可能とされている。
【００２７】
サーバ・コンピュータ１６は、各複合機１４で印刷された印刷枚数に対して所定の課金条件に基づいて課金を行う。
【００２８】
図２には、本実施の形態に係る課金システム１０の詳細な構成が示されている。なお、各複合機１４は同様の構成であるため、図２では、１台の複合機１４とサーバ・コンピュータ１６についてのみ詳細に説明する。
【００２９】
本実施の形態に係る複合機１４は、所定の読込位置に載置された記録用紙から画像を読み込み、当該画像を示す画像情報を取得するスキャナ２０と、電子写真方式にて記録用紙上への画像の印刷を行う印刷エンジン部２２と、コピー操作などの各種の操作指示が入力される操作ボタンが設けられた操作パネル２４と、を備えている。
【００３０】
また、複合機１４は、装置全体の動作を司るＣＰＵ（中央処理装置）２６と、制御プログラムや後述する印刷枚数情報送信制御処理プログラムを含む各種プログラム等が予め記憶されたＲＯＭ２８と、各種データを一時的に記憶するＲＡＭ３０と、各種データを記憶して保持するＨＤＤ（ハード・ディスク・ドライブ）３２と、操作パネル２４に設けられた操作ボタンに対する操作状態を検出する操作入力検出部３４と、スキャナ２０による光学的な画像の読み取りを制御するスキャナドライバ３６と、印刷エンジン部２２の作動を制御する印刷エンジン制御部３８と、ネットワーク１８に接続され、当該ネットワーク１８と通信を行うための通信インターフェース（Ｉ／Ｆ）部４０と、を備えている。
【００３１】
ＣＰＵ２６、ＲＯＭ２８、ＲＡＭ３０、ＨＤＤ３２、操作入力検出部３４、スキャナドライバ３６、印刷エンジン制御部３８、及び通信Ｉ／Ｆ部４０は、システムバスＢＵＳ１を介して相互に接続されている。従って、ＣＰＵ２６は、ＲＯＭ２８、ＲＡＭ３０、ＨＤＤ３２へのアクセスを行うことができると共に、スキャナドライバ３６を介したスキャナ２０の作動の制御、印刷エンジン制御部３８を介した印刷エンジン部２２の作動の制御、及び通信Ｉ／Ｆ部４０を介したネットワーク１８とのデータの送受信の制御、を各々行うことができる。また、ＣＰＵ２６は、操作入力検出部３４を介して操作パネル２４に設けられた操作ボタンに対するユーザの操作状態を把握することができる。
【００３２】
一方、サーバ・コンピュータ１６は、操作メニューやメッセージ等を表示するディスプレイ５０と、ユーザからの各種の操作指示が入力されるキーボード５２と、を備えている。
【００３３】
また、サーバ・コンピュータ１６は、装置全体の動作を司るＣＰＵ５４と、制御プログラムや後述する課金制御処理プログラムを含む各種プログラム等が予め記憶されたＲＯＭ５６と、各種データを一時的に記憶するＲＡＭ５８と、後述する課金集計テーブル等の各種データを記憶して保持するＨＤＤ６０と、ディスプレイ５０への各種情報の表示を制御するディスプレイドライバ６２と、キーボード５２に対する操作状態を検出する操作入力検出部６４と、ネットワーク１８に接続され、当該ネットワーク１８と通信を行うための通信Ｉ／Ｆ部６６と、を備えている。
【００３４】
ＣＰＵ５４、ＲＯＭ５６、ＲＡＭ５８、ＨＤＤ６０、ディスプレイドライバ６２、操作入力検出部６４、及び通信Ｉ／Ｆ部６６は、システムバスＢＵＳ２を介して相互に接続されている。従って、ＣＰＵ５４は、ＲＯＭ５６、ＲＡＭ５８、ＨＤＤ６０へのアクセスを行うことができると共に、ディスプレイドライバ６２を介したディスプレイ５０への各種情報の表示の制御、通信Ｉ／Ｆ部６６を介したネットワーク１８とのデータの送受信の制御、を行うことができる。また、ＣＰＵ５４は、操作入力検出部６４を介してキーボード５２に対するユーザの操作状態を把握することができる。
【００３５】
次に、本実施の形態に係る課金システム１０の作用を説明する。
【００３６】
ＰＣ１２は、何れの複合機１４で印刷を行う場合、識別するための識別情報が付された画像情報、及び印刷を行う印刷部数を示す部数情報を印刷を行う複合機１４へ送信する。
【００３７】
また、ＰＣ１２は、複数の複合機１４で分散させて印刷を行う場合、識別するための識別情報が付されると共に複数で分散させての印刷を指示した画像情報、及び各複合機１４で印刷を行う印刷部数を示す部数情報を各複合機１４へ送信する。
【００３８】
各複合機１４は、ネットワーク１８を介して画像情報及び部数情報を通信Ｉ／Ｆ部６６で受信すると、印刷エンジン部２２を制御して画像情報により示される画像を部数情報により示される印刷部数だけ記録用紙へ印刷する。また、各複合機１４は、印刷が完了する毎に当該印刷を行った画像情報の識別情報及び枚数情報を通信Ｉ／Ｆ部６６からサーバ・コンピュータ１６を送信する。
【００３９】
図３には、画像情報及び部数情報が受信された際に、複合機１４のＣＰＵ２６により実行される印刷枚数情報送信制御処理プログラムの処理の流れを示すフローチャートが示されている。なお、当該プログラムはＲＯＭ２８の所定の領域に予め記憶されている。
【００４０】
同図のステップ１００では、印刷が終了したか否かを判定し、肯定判定となった場合はステップ１０２へ移行する一方、否定判定となった場合は再度ステップ１００へ移行して印刷終了待ちを行う。
【００４１】
ステップ１０２では、印刷を行った画像情報の識別情報及び枚数情報を通信Ｉ／Ｆ部６６からサーバ・コンピュータ１６へ送信し、処理終了となる。
【００４２】
これにより、印刷が完了する毎に当該印刷を行った画像情報の識別情報及び枚数情報がサーバ・コンピュータ１６へ送信される。
【００４３】
サーバ・コンピュータ１６は、各複合機１４から送信された識別情報及び枚数情報を通信Ｉ／Ｆ部６６で受信すると、受信された識別情報及び枚数情報に基づいて同一の識別情報の印刷枚数を集計し、集計された印刷枚数に対して所定の課金条件に基づいて課金を行う。
【００４４】
図４には、各複合機１４からの識別情報及び枚数情報が受信された際に、サーバ・コンピュータ１６のＣＰＵ５４により実行される課金制御処理プログラムの処理の流れを示すフローチャートが示されている。なお、当該プログラムはＲＯＭ５６の所定の領域に予め記憶されている。
【００４５】
同図のステップ１２０では、受信した識別情報と同じ識別情報のレコードが課金集計テーブルに既に記憶されているか否かを判定し、肯定判定となった場合はステップ１２４へ移行し、否定判定となった場合はステップ１２２へ移行する。
【００４６】
図５には、ＨＤＤ６０に記憶された識別情報毎の集計印刷枚数を記憶する課金集計テーブルが模式的に示されている。
【００４７】
ここで、本実施の形態に係る課金集計テーブルでは、印刷した画像情報のファイル名．拡張子と、画像情報が作成された日時（作成タイムスタンプ）と、画像情報のデータ量（ファイル容量）と、を組み合わせて識別情報としている。
【００４８】
課金集計テーブルは、識別情報毎に印刷枚数を保持するトータルカウンタと、割引する印刷枚数を保持する割引カウンタを有している。
【００４９】
ステップ１２２では、受信した識別情報が課金集計テーブルに記憶されていないため、
、レコードの識別情報を受信した識別情報とし、トータルカウンタ及び割引カウンタをゼロ（０）としたレコードを追加する。
【００５０】
ステップ１２４では、受信した識別情報と同じ識別情報のレコードのトータルカウンタの値に枚数情報に示される印刷枚数を加算する。
【００５１】
次のステップ１２６では、上記ステップ１２４の加算の結果、受信した識別情報と同じ識別情報のレコードのトータルカウンタの値が所定の割引閾値（ここでは、１００）以上であるか否かを判定し、肯定判定となった場合はステップ１２８へ移行し、否定判定となった場合は処理終了となる。
【００５２】
ステップ１２８では、受信した識別情報と同じ識別情報のレコードの割引カウンタの値をトータルカウンタの値から上記割引閾値の差分を取った値（トータルカウンタの値−上記割引閾値）に更新して処理終了となる。
【００５３】
これにより、例えば、印刷枚数が１２５枚の場合、トータルカウンタの値が１２５となり、割引カウンタの値が２５（＝１２５−１００）となされたレコードが記憶される。
【００５４】
サーバ・コンピュータ１６では、課金集計テーブルのトータルカウンタ及び割引カウンタに集計された印刷枚数に対して所定の課金条件に基づいて課金を行う。例えば、割引閾値までの印刷枚数までは１枚１０円で課金を行うが、割引閾値以上の印刷枚数に対しては１枚９円で課金を行う。
【００５５】
これにより、複数台の複合機１４で分散して印刷を行った場合でも１台の複合機１４で印刷を行った場合と同様に課金される。
【００５６】
このサーバ・コンピュータ１６による課金結果は、一定期間毎に何れの複合機１４で印刷するようにしてもよい。また、例えば、複合機１４が印刷を依頼したＰＣ１２を特定する特定情報（例えば、コンピュータ名やＩＰアドレス）を識別情報や枚数情報と共にサーバ・コンピュータ１６へ送信し、サーバ・コンピュータ１６が特定情報に基づいて課金結果を印刷の依頼元のＰＣ１２へ送信するようにしてもよい。さらに、例えば、複合機１４が印刷を依頼したユーザを特定する特定情報（例えば、コンピュータのユーザ名やＩＤ情報）や、ユーザの所属部署を特定する特定情報（例えば、部署コード）を画像情報や部数情報と共に受信して、当該特定情報を識別情報や枚数情報と共にサーバ・コンピュータ１６へ送信し、サーバ・コンピュータ１６が特定情報に基づいてユーザや所属部署毎に課金された料金を集計するようにしてもよい。
【００５７】
［第２の実施の形態］
本実施の形態に係る課金システム１０の全体的な概略構成及び複合機１４とサーバ・コンピュータ１６の構成は上記第１の実施の形態と同様であるため、説明を省略する。
【００５８】
本実施の形態に係る複合機１４は、印刷した印刷部数を識別情報毎に印刷結果テーブルとしてＨＤＤ３２に記憶する。
【００５９】
図６には、ＨＤＤ３２に記憶された識別情報毎の印刷枚数を記憶する印刷結果テーブルが模式的に示されている。
【００６０】
印刷結果テーブルは、識別情報毎に印刷枚数を保持するプリントカウンタを有している。
【００６１】
図７には、印刷が完了した際に、複合機１４のＣＰＵ２６により実行される印刷枚数情報記憶処理プログラムの処理の流れを示すフローチャートが示されている。なお、当該プログラムはＲＯＭ２８の所定の領域に予め記憶されている。
【００６２】
同図のステップ２００では、印刷が完了した画像情報の識別情報をレコードの識別情報とし、トータルカウンタを印刷枚数としたレコードを追加し、処理終了となる。
【００６３】
これにより、印刷が完了した画像情報の識別情報と印刷枚数が記憶される。
【００６４】
サーバ・コンピュータ１６は、所定の期間毎（例えば、１日毎や１週間毎）に各複合機１４へ識別情報及び枚数情報の送信要求を送信する。
【００６５】
図８には、上記所定の期間毎に、サーバ・コンピュータ１６のＣＰＵ５４により実行される送信要求送信処理プログラムの処理の流れを示すフローチャートが示されている。なお、当該プログラムはＲＯＭ５６の所定の領域に予め記憶されている。
【００６６】
同図のステップ２２０では、各複合機１４対して識別情報及び枚数情報の送信要求を送信し、処理終了となる。
【００６７】
各複合機１４は、ネットワーク１８を介して通信Ｉ／Ｆ部６６で識別情報及び枚数情報の送信要求を受信すると、ＨＤＤ３２の印刷結果テーブルに記憶した未送信の識別情報及び枚数情報を送信する。
【００６８】
図９には、識別情報及び枚数情報の送信要求が受信された際に、複合機１４のＣＰＵ２６により実行される印刷枚数情報送信制御処理プログラムの処理の流れを示すフローチャートが示されている。なお、当該プログラムはＲＯＭ２８の所定の領域に予め記憶されている。
【００６９】
ステップ２４０では、印刷結果テーブルに記憶された識別情報及び枚数情報を通信Ｉ／Ｆ部６６からサーバ・コンピュータ１６へ送信する。
【００７０】
ステップ２４２では、送信が完了した識別情報のレコードを印刷結果テーブルから削除し、処理終了となる。
【００７１】
サーバ・コンピュータ１６は、各複合機１４から送信された識別情報及び枚数情報を通信Ｉ／Ｆ部６６で受信すると、上記課金制御処理プログラム（図４参照。）を実行して、同一の識別情報の印刷枚数を集計し、集計された印刷枚数に対して上記所定の課金条件に基づいて課金を行う。
【００７２】
これにより、印刷が完了する毎に識別情報及び枚数情報が送信されないため、識別情報及び枚数情報でネットワーク１８の負荷が高くなくなることが抑制される。
【００７３】
［第３の実施の形態］
図１０には、本実施の形態に係る課金システム１０の概略構成が示されている。なお、複合機１４の構成は上記第１の実施の形態と同様であるため、説明を省略する。
【００７４】
本実施の形態に係る課金システム１０は、１台の複合機１４（例えば、複合機１４Ａ）がサーバ・コンピュータの機能を兼ねるものとされている。以下、複数の複合機１４のうち、複合機１４Ａ以外のものを複合機１４Ｂという。
【００７５】
複合機１４Ａは、ＨＤＤ３２に上述した課金集計テーブルを記憶している。
【００７６】
複合機１４Ａは、自装置での印刷が完了すると、印刷した印刷部数を課金集計テーブルに記憶する。
【００７７】
図１１には、印刷が完了した際に、複合機１４ＡのＣＰＵ２６により実行される印刷枚数情報記憶処理プログラムの処理の流れを示すフローチャートが示されている。なお、当該プログラムはＲＯＭ５６の所定の領域に予め記憶されている。
【００７８】
同図のステップ３００では、印刷が完了した画像情報の識別情報をレコードの識別情報とし、トータルカウンタを印刷枚数としたレコードを課金集計テーブルに追加する。
【００７９】
ステップ３０２では、上記ステップ３００で追加したレコードのトータルカウンタの値が所定の割引閾値（ここでは、１００）以上であるか否かを判定し、肯定判定となった場合はステップ３０４へ移行し、否定判定となった場合は処理終了となる。
【００８０】
ステップ３０４では、上記ステップ３００で追加したレコードの割引カウンタの値をトータルカウンタの値から上記割引閾値の差分を取った値（トータルカウンタの値−上記割引閾値）に更新して処理終了となる。
【００８１】
これにより、複合機１４Ａで印刷が完了した画像情報の識別情報及び印刷枚数が課金集計テーブルに記憶される。
【００８２】
一方、各複合機１４Ｂは、ＣＰＵ２６で上述した印刷枚数情報送信制御処理プログラム（図３参照。）を実行して、印刷が完了する毎に当該印刷を行った画像情報の識別情報及び枚数情報を複合機１４Ａへ送信する。
【００８３】
複合機１４Ａは、複合機１４Ｂから識別情報及び枚数情報が受信された際に、複合機１４のＣＰＵ５４で上述した課金制御プログラム（図４参照。）を実行して、同一の識別情報の印刷枚数を集計し、集計された印刷枚数に対して上記所定の課金条件に基づいて課金を行う。
【００８４】
これにより、別途サーバ・コンピュータ１６を設ける必要がなくなる。
【００８５】
［第４の実施の形態］
本実施の形態に係る課金システム１０の全体的な概略構成及び複合機１４とサーバ・コンピュータ１６の構成は上記第３の実施の形態と同様であるため、説明を省略する。
【００８６】
本実施の形態に係る課金システム１０は、全ての複合機１４がサーバ・コンピュータの機能を兼ねるものとされている。
【００８７】
各複合機１４は、ＨＤＤ３２に上述した課金集計テーブルを記憶している。
【００８８】
各複合機１４は、印刷が完了する毎に、ＣＰＵ２６で上述した印刷枚数情報記憶処理プログラム（図１１参照。）を実行して、当該印刷を行った画像情報の識別情報及び枚数情報を課金集計テーブルに記憶する。また、各複合機１４は、印刷が完了する毎に、ＣＰＵ２６で上述した印刷枚数情報送信制御処理プログラム（図３参照。）を実行して、当該印刷を行った画像情報の識別情報及び枚数情報を他の複合機１４へ送信する。
【００８９】
各複合機１４Ａは、他の複合機１４から識別情報及び枚数情報が受信された際に、複合機１４のＣＰＵ５４で上述した課金制御プログラム（図４参照。）を実行して、同一の識別情報の印刷枚数を集計し、集計された印刷枚数に対して所定の課金条件に基づいて課金を行う。
【００９０】
これにより、何れの複合機１４でも課金集計テーブルが保持されるため、課金システムの安定性が向上する。
【００９１】
なお、上記各実施の形態では、複数の複合機１４で分散させて印刷を行う場合、ＰＣ１２が識別するための識別情報が付されると共に複数で分散させての印刷を指示した画像情報、及び各複合機１４で印刷を行う印刷部数を示す部数情報を各複合機１４へ送信する場合について説明したが、本発明はこれに限定されるものではなく、例えば、ＰＣ１２が何れか１つの複合機１４へ画像情報及び印刷を行う印刷部数を示す部数情報を送信し、当該複合機１４が他の複合機１４へ画像情報及び部数情報を送信するようにしてもよい。また、ＰＣ１２が何れか１つの複合機１４へ画像情報及び印刷を行う印刷部数を示す部数情報を送信し、印刷部数が所定枚以上の場合や印刷枚数が所定枚以上の場合に当該複合機１４が他の複合機１４へ画像情報及び部数情報を送信して分散印刷を行わせるようにしてもよい。さらに、複合機１４が、例えば用紙搬送不良が装置異常が発生して印刷処理または分散印刷処理を中止する場合に他の複合機１４へ画像情報及び部数情報を送信して分散印刷を行わせるようにしてもよい。これらの場合も各複合機１４が識別情報及び枚数情報をサーバ・コンピュータ１６や集計、課金を行う複合機１４へ送信することにより１台の複合機１４で印刷を行った場合と同様に課金される。
【００９２】
また、上記第２の実施の形態では、各複合機１４が、所定の期間毎に未送信の識別情報及び枚数情報を送信する場合について説明したが、本発明はこれに限定されるものではなく、例えば、所定の日時毎（例えば、毎月の末日毎や毎日の同一時刻毎）に未送信の識別情報及び枚数情報を送信するようにしてもよい。
【００９３】
また、上記第２の実施の形態では、１つの複合機１４がサーバ・コンピュータの機能を兼ねるものとし、上記第４の実施の形態では、全ての複合機１４がサーバ・コンピュータの機能を兼ねるものとした場合について説明したが、本発明はこれに限定されるものではなく、例えば、複数のうちの少なく１つの複合機１４がサーバ・コンピュータの機能を兼ねるものとしてもよい。１つの複合機１４がサーバ・コンピュータの機能を兼ねる場合は、サーバ・コンピュータの機能ねる複合機１４は、他の複合機１４へ識別情報及び枚数情報を送信する必要はない。
【００９４】
また、上記各実施の形態では、トータルカウンタの値と割引カウンタの値をカウントする場合について説明したが、本発明はこれに限定されるものではない。また、課金条件もより印刷枚数が多いほど単価が安くなる多段階の課金条件を行ってもよい。さらに、カラー印刷と白黒印刷が可能な場合は、カラー印刷枚数と白黒印刷枚数を別に集計してカラー印刷に対して白黒印刷枚よりも高い単価で課金を行うようにしてもよい。また、記録用紙に対して画像の占める割合が大きいほど高い単価で課金を行うようにしてもよく、記録用紙１枚当たりのトナーなどの記録材料の消費量が多いほど高い単価で課金を行うようにしてもよい。これらの場合も印刷枚数が多いほど単価を下げるようにしてもよい。
【００９５】
また、上記各実施の形態では、識別情報を、画像情報のファイル名．拡張子と、画像情報が作成された日時（作成タイムスタンプ）と、画像情報のデータ量（ファイル容量）とを組み合わせたものとした場合について説明したが、本発明はこれに限定されるものではなく、画像情報に重複しない番号を付与できれば何れであってものとしてもよい。
【００９６】
その他、上記実施の形態で説明した課金システム１０の構成（図１、図１０参照。）、複合機１４、サーバ・コンピュータ１６の構成（図２参照。）は、一例であり、本発明の主旨を逸脱しない範囲内において適宜変更可能であることは言うまでもない。
【００９７】
また、上記各実施の形態で説明した各プログラム（図３、図４、図７〜図９、図１１参照。）の処理の流れも一例であり、本発明の主旨を逸脱しない範囲内において適宜変更可能であることは言うまでもない。
【符号の説明】
【００９８】
１０  課金システム
１４  複合機
１６  サーバ・コンピュータ
２２  印刷エンジン部（印刷手段）
２６  ＣＰＵ（集計手段、課金手段）
３２  ＨＤＤ（記憶手段）
４０  通信Ｉ／Ｆ部（送信手段、受付手段）
５４  ＣＰＵ（集計手段、課金手段）
６０  ＨＤＤ
６６  通信Ｉ／Ｆ部（取得手段）
【図１】
2010182112.tif 000003
【図２】
2010182112.tif 000004
【図３】
2010182112.tif 000005
【図４】
2010182112.tif 000006
【図５】
2010182112.tif 000007
【図６】
2010182112.tif 000008
【図７】
2010182112.tif 000009
【図８】
2010182112.tif 000010
【図９】
2010182112.tif 000011
【図１０】
2010182112.tif 000012
【図１１】
2010182112.tif 000013